(57)【要約】【課題】記入済帳票から、印影を除去することなく罫線を除去することを目的とする。【解決手段】画像処理プログラムは、印影を含む記入済帳票の画像データを取得し、第１記憶部に記憶された、印影を含まない未記入帳票の画像データを取得し、記入済帳票の画像データを２値化したデータと未記入帳票の画像データを２値化したデータとの排他的論理和演算を行い、排他的論理和演算の結果が偽となる部分を除去した画像データを出力する、処理をコンピュータに実行させる。【選択図】図７
2018136733.tif 000002
【特許請求の範囲】
【請求項１】
印影を含む記入済帳票の画像データを取得し、
第１記憶部に記憶された、前記印影を含まない未記入帳票の画像データを取得し、
前記記入済帳票の画像データを２値化したデータと前記未記入帳票の画像データを２値化したデータとの排他的論理和演算を行い、前記排他的論理和演算の結果が偽となる部分を除去した画像データを出力する、
処理をコンピュータに実行させることを特徴とする画像処理プログラム。
【請求項２】
前記帳票のうち押印指定領域を示す座標情報に基づいて、前記排他的論理和演算の結果が偽となる部分を除去した画像データから、印影を抽出し、
抽出された前記印影と、第２記憶部に記憶された登録印影とを照合する、
処理をコンピュータに実行させることを特徴とする請求項１記載の画像処理プログラム。
【請求項３】
前記排他的論理和演算の結果が偽となる部分を除去した画像データが平行な２辺の組を２組含み、前記２組の辺に囲われた領域に所定パターンが含まれる場合、前記２組の辺および前記所定パターンを印影であると判定し、該印影を抽出し、
抽出された前記印影と、第２記憶部に記憶された登録印影とを照合する、
処理をコンピュータに実行させることを特徴とする請求項１記載の画像処理プログラム。
【請求項４】
印影を含む記入済帳票の画像データを取得する記入済帳票取得部と、
第１記憶部に記憶された、前記印影を含まない未記入帳票の画像データを取得する未記入帳票取得部と、
前記記入済帳票の画像データを２値化したデータと前記未記入帳票の画像データを２値化したデータとの排他的論理和演算を行い、前記排他的論理和演算の結果が偽となる部分を除去した画像データを出力する演算部と、
を備えることを特徴とする画像処理装置。
【請求項５】
印影を含む記入済帳票の画像データを取得し、
第１記憶部に記憶された、前記印影を含まない未記入帳票の画像データを取得し、
前記記入済帳票の画像データを２値化したデータと前記未記入帳票の画像データを２値化したデータとの排他的論理和演算を行い、前記排他的論理和演算の結果が偽となる部分を除去した画像データを出力する、
処理をコンピュータが実行することを特徴とする画像処理方法。
【発明の詳細な説明】
【技術分野】
【０００１】
本発明は、画像処理プログラム、画像処理装置および画像処理方法に関する。
【背景技術】
【０００２】
金融機関において、窓口で預金の払い戻しを請求された場合、受領済の登録印影と、払い戻し伝票（払い戻し請求書）に押印された印影との照合が行われる。照合の際に、例えば、登録印影の画像データと払い戻し伝票に押印された印影の画像データを自動で照合する処理が行われる。また、その照合処理の際に、印影以外の罫線を除去する技術が用いられている。
【０００３】
関連する技術として、印を構成する各文字の切出矩形領域を抽出し、印影イメージの中心点を算出する技術が提案されている（例えば、特許文献１を参照）。また、被照合印と予め登録された登録印とを照合し、被照合印と登録印との一致率を出力する技術が提案されている（例えば、特許文献２を参照）。また、記帳票を読み取って得られる帳票画像上の罫線を消去する技術が提案されている（例えば、特許文献３を参照）。
【先行技術文献】
【特許文献】
【０００４】
【特許文献１】特開２０１１−１８０７３０号公報
【特許文献２】特開２００４−１９９４６９号公報
【特許文献３】特開２０１２−２３４３４５号公報
【発明の概要】
【発明が解決しようとする課題】
【０００５】
しかし、帳票（例えば、払い戻し伝票）の罫線を除去する際に、例えば、直線状のドット部分を罫線とみなして除去する方法を用いた場合、角印（矩形の枠を含む印）の枠部分の印影を除去してしまう可能性がある。
【０００６】
１つの側面として、本発明は、印影を除去することなく罫線が除去された画像データを生成することを目的とする。
【課題を解決するための手段】
【０００７】
１つの態様では、画像処理プログラムは、印影を含む記入済帳票の画像データを取得し、第１記憶部に記憶された、前記印影を含まない未記入帳票の画像データを取得し、前記記入済帳票の画像データを２値化したデータと前記未記入帳票の画像データを２値化したデータとの排他的論理和演算を行い、前記排他的論理和演算の結果が偽となる部分を除去した画像データを出力する、処理をコンピュータに実行させることを特徴とする。
【発明の効果】
【０００８】
１つの側面によれば、印影を除去することなく罫線が除去された画像データを生成することができる。
【図面の簡単な説明】
【０００９】
【図１】実施形態のシステムの全体構成の一例を示す図である。
【図２】未記入帳票画像と記入済帳票画像を２値化した画像の例を示す図である。
【図３】演算部による演算処理の例を示す図である。
【図４Ａ】演算部による演算処理を示す画像の例を示す図（その１）である。
【図４Ｂ】演算部による演算処理を示す画像の例を示す図（その２）である。
【図５】印影抽出処理の例を示す図である。
【図６】演算部による演算処理が行われた帳票全体の画像の例を示す図である。
【図７】実施形態の処理の流れの一例を示すフローチャートである。
【図８】演算処理の流れの一例を示すフローチャートである。
【図９】丸印および角印に関連技術を用いた場合の演算処理結果の例を示す図である。
【図１０】丸印および角印に本実施形態の画像処理装置を用いた場合の演算処理結果の例を示す図である。
【図１１】画像処理装置のハードウェア構成の一例を示す図である。
【発明を実施するための形態】
【００１０】
＜実施形態のシステムの全体構成の一例＞
以下、図面を参照して、実施形態について説明する。図１は、実施形態のシステムの全体構成の一例を示す。図１に示すように、実施形態のシステムは、読取装置１と、画像処理装置２と、表示装置３とを含む。画像処理装置２は、コンピュータの一例である。
【００１１】
読取装置１は、印影を含む記入済帳票を撮影し、該記入済帳票の画像データを生成して画像処理装置２に送信する。読取装置１は、例えば、スキャナ、またはカメラである。以下に説明する例において、帳票は、金融機関で用いられる払い戻し伝票（払い戻し請求書）である。ただし、帳票は、印影が含まれるものであれば他のものであってもよい。
【００１２】
画像処理装置２は、記入済帳票取得部１１と、帳票Identification information（ＩＤ）取得部１２と、未記入帳票取得部１３と、未記入帳票記憶部１４と、演算部１５と、印影抽出部１６と、照合部１７と、印影記憶部１８と、表示制御部１９とを含む。
【００１３】
なお、未記入帳票記憶部１４および印影記憶部１８は、画像処理装置２と通信可能な外部の情報処理装置に含まれていてもよい。
【００１４】
記入済帳票取得部１１は、読取装置１から印影を含む記入済帳票の画像データを取得する。以下、印影を含む記入済帳票の画像データを記入済帳票画像と記載することがある。
【００１５】
帳票ＩＤ認識部１２は、読取装置１から記入済帳票画像を取得し、画像認識処理を行うことにより、帳票を識別する帳票ＩＤを認識する。帳票ＩＤ認識部１２は、例えば、所定の位置に表示されている数字等を帳票ＩＤであると判定し、帳票ＩＤとして取得する。
【００１６】
未記入帳票取得部１３は、帳票ＩＤ認識部１２から帳票ＩＤを取得し、取得した帳票ＩＤに対応する未記入帳票の画像データを、未記入帳票記憶部１４から取得する。未記入帳票は、ユーザが押印をする前の帳票であるため印影を含まない。以下、未記入帳票の画像データを未記入帳票画像と記載することがある。
【００１７】
未記入帳票記憶部１４は、未記入帳票の画像データを記憶する。未記入帳票の画像データは、帳票ＩＤと対応付けられて記憶されている。未記入帳票記憶部１４は、第１記憶部の一例である。
【００１８】
演算部１５は、記入済帳票画像を２値化したデータと未記入帳票画像を２値化したデータとの排他的論理和演算を行い、排他的論理和演算の結果が偽となる部分を除去した２値化画像データを出力する。以下、排他的論理和演算の結果が偽となる部分を除去した２値化画像データを演算結果の画像データと記載することがある。
【００１９】
演算結果の画像データは、記入済帳票画像から、未記入帳票画像に表示されている文字や罫線等が除去された画像データとなる。また、演算結果の画像データには、ユーザが記入した文字や印影が残される。
【００２０】
印影抽出部１６は、帳票の押印指定領域を示す座標情報に基づいて、演算結果の画像データから印影を抽出する。印影抽出部１６は、例えば、帳票の押印指定領域を示す座標内の画像を印影として抽出する。押印指定領域は、帳票のうち印鑑を押印する領域である。
【００２１】
帳票の押印指定領域を示す座標情報は、例えば、未記入帳票記憶部１４に帳票ＩＤおよび未記入帳票の画像データと対応付けられて記憶されている。従って、印影抽出部１６は、帳票ＩＤ認識部１２が認識した帳票ＩＤに基づいて、未記入帳票の押印指定領域を示す座標情報を未記入帳票記憶部１４から取得し、その座標情報に基づいて、演算結果の画像データから印影を抽出する。
【００２２】
演算結果の画像データには、印影だけでなくユーザの氏名、口座番号等が含まれているが、印影抽出部１６が印影を抽出することにより、後述する照合処理の精度を向上させることができる。
【００２３】
印影抽出部１６は、演算結果の画像データが平行な２辺による組を２組含み、その２組の辺に囲われた領域に所定パターンが含まれる場合、その２組の辺および所定パターンが印影として抽出してもよい。
【００２４】
その２組の辺および所定パターンは、角印であると想定されるからである。印影抽出部１６は、２組の辺および所定パターンを印影として抽出することにより、帳票の押印指定領域を示す座標情報が不明であっても印影を抽出することができる。以下、上記２組の辺に囲われた領域は、矩形の領域であるものとして説明する。
【００２５】
照合部１７は、抽出された印影に対応する登録印影を印影記憶部１８から取得する。照合部１７は、例えば、記入済帳票画像に記入された口座番号等に対応付けられた登録印影を印影記憶部１８から取得する。印影記憶部１８に記憶された登録印影は、例えば、口座開設時等に登録された印影（印鑑）である。
【００２６】
そして、照合部１７は、印影抽出部１６が抽出した印影と、印影記憶部１８から取得した登録印影とを照合する。
【００２７】
印影記憶部１８は、ユーザの識別情報に対応付けられた登録印影を記憶する。ユーザの識別情報は、例えば、口座番号である。なお、ユーザの識別情報は、帳票に記入される情報であって、帳票の記入者を識別可能な情報であればよい。印影記憶部１８は、第２記憶部の一例である。
【００２８】
表示制御部１９は、表示装置３に対する表示制御を行う。表示制御部１９は、例えば、照合部１７による照合結果を表示装置３に表示してもよい。表示制御部１９は、例えば、印影抽出部１６が抽出した印影と、印影記憶部１８に記憶された印影とを表示装置３に表示してもよい。
【００２９】
図２は、未記入帳票画像と記入済帳票画像を２値化した画像の例を示す図である。図２（ａ）、（ｂ）には、演算処理の説明のためにＸ座標（０〜１３）およびＹ座標（０〜１３）が示されている。
【００３０】
図２（ａ）は、未記入帳票画像を２値化した画像の例を示す。図２（ａ）に示すように、未記入帳票画像を２値化した画像には、押印指定領域を示す矩形の罫線が含まれる。
【００３１】
図２（ｂ）は、記入済帳票画像を２値化した画像の例を示す。図２（ｂ）に示すように、記入済帳票画像を２値化した画像には、押印指定領域を示す矩形の罫線と、押印指定領域内に押印された印影とが含まれる。図２（ｂ）に示す印影は、矩形の枠と、矩形の枠内に存在する「Ａ」という記号を含む。
【００３２】
図３は、演算部１５による演算処理の例を示す図である。なお、図３において、「１」が排他的論理和演算における「真」に相当し、「０」が排他的論理和演算における「偽」に相当する。未記入帳票画像と記入済帳票画像を２値化した画像データ（例えば、図２参照）は、「１」および「０」という数値により表される。本実施形態では、演算部１５は、未記入帳票画像と記入済帳票画像を２値化した画像のドットが黒である部分を「１」とし、ドットが白である部分を「０」として演算を行う。
【００３３】
図３に示すように、演算部１５は、所定座標における未記入帳票のドットが「１」であり、該所定座標における記入済み帳票のドットが「１」である場合、演算結果として「０」を出力する。また、演算部１５は、所定座標における未記入帳票のドットが「１」であり、該所定座標における記入済み帳票のドットが「０」である場合、演算結果として「１」を出力する。
【００３４】
また、演算部１５は、所定座標における未記入帳票のドットが「０」であり、該所定座標における記入済み帳票のドットが「１」である場合、演算結果として「１」を出力する。また、演算部１５は、所定座標における未記入帳票のドットが「０」であり、該所定座標における記入済み帳票のドットが「０」である場合、演算結果として「０」を出力する。
【００３５】
図４Ａおよび図４Ｂは、演算部１５による演算処理の画像の例を示す図である。図４Ａおよび図４Ｂでは、Ｘ座標およびＹ座標の図示を省略しているが、図２と同様であるとする。以下、２値化された帳票画像におけるＸ座標およびＹ座標を、座標（ｘ，ｙ）と記載する。
【００３６】
また、以下、Ｘ方向に１列の演算処理を行い、次に、Ｙ方向に１列ずらして、同じくＸ方向に１列の演算処理を行う例について説明する。
【００３７】
図４Ａ（ａ）は、座標（０，０）における演算処理を示す。未記入帳票画像における座標（０，０）の値は「０」であり、記入済帳票画像における座標（０，０）の値は「０」である。従って、演算部１５による排他的論理和演算の演算結果は「０」となり、演算結果を示す画像では、座標（０，０）の部分が白で表示される。
【００３８】
図４Ａ（ｂ）は、座標（１，０）における演算処理を示す。未記入帳票画像における座標（１，０）の値は「０」であり、記入済帳票画像における座標（１，０）の値は「１」である。従って、演算部１５による排他的論理和演算の演算結果は「１」となり、演算結果を示す画像では、座標（１，０）の部分が黒で表示される。
【００３９】
そして、同様に座標（２，０）〜（１３，０）まで演算が行われたとする。これにより、Ｘ方向に１列の演算処理が行われたことになる。
【００４０】
図４Ａ（ｃ）は、座標（０，１）における演算処理を示す。未記入帳票画像における座標（０，１）の値は「０」であり、記入済帳票画像における座標（０，１）の値は「０」である。従って、演算部１５による排他的論理和演算の演算結果は「０」となり、演算結果を示す画像では、座標（０，１）の部分が白で表示される。
【００４１】
図４Ｂ（ｄ）は、座標（１，１）における演算処理を示す。未記入帳票画像における座標（１，１）の値は「１」であり、記入済帳票画像における座標（１，１）の値は「１」である。従って、演算部１５による排他的論理和演算の演算結果は「０」となり、演算結果を示す画像では、座標（１，１）の部分が白で表示される。
【００４２】
そして、同様に、座標（２，１）〜（１２，１３）までの演算が行われたとする。
【００４３】
図４Ｂ（ｅ）は、座標（１３，１３）における演算処理を示す。未記入帳票画像における座標（１３，１３）の値は「０」であり、記入済帳票画像における座標（１３，１３）の値は「０」である。従って、演算部１５による排他的論理和演算の演算結果は「０」となり、演算結果を示す画像では、座標（１３，１３）の部分が白で表示される。
【００４４】
以上の処理により、演算結果を示す画像は、未記入帳票画像に含まれていた部分（罫線等）が除去され、ユーザが記入した情報や印影が残された画像となる。
【００４５】
未記入帳票画像のうち、値が「１」のドットは、罫線等であることを示す。一方、記入済帳票画像のうち、上記のドットに対応するドットの値が「１」のドットの場合、該ドットは、罫線等だけでなく、印影も含まれる。従って、上記の排他的論理和演算が行われることにより、印影は残り、罫線等が除去された画像が出力される。
【００４６】
図５は、印影抽出処理の例を示す図である。図５に示す演算結果の画像は、図４Ｂ（ｅ）に示した演算結果の画像と同じである。印影抽出部１６は、帳票の押印指定領域を示す座標情報に基づいて、演算結果の画像データから、印影を抽出する。押印指定領域は、図２（ａ）に示す矩形の罫線の内部の領域（Ｘ座標が２〜１１であり、Ｙ座標が２〜１１である領域）であるとする。
【００４７】
印影抽出部１６が、図５の例で示す画像データから、押印指定領域の中の画像を印影として抽出した結果、座標（１，０）の黒の部分は除去され、図５に示すような印影抽出結果の画像が得られる。なお、座標（１，０）に示す黒の部分は、例えば、手書き部分またはゴミ等であることが想定される。
【００４８】
図６は、演算部１５による演算処理が行われた帳票全体の画像の例を示す図である。図６（ａ）は、未記入帳票画像の例を示す。未記入帳票画像の左上の「１１０１」という数字は、帳票ＩＤを示す。図６（ａ）に示すように、未記入帳票画像には、帳票ＩＤと、各種情報の記載領域および押印指定領域等を示す罫線と、各領域の記載内容を示す文字（「口座番号」、「おなまえ」、「お届け印」等）などが予め印刷されている。
【００４９】
図６（ｂ）は、記入済帳票画像の例を示す。図６（ｂ）に示すように、記入済帳票には、図６（ａ）の未記入帳票画像に示された内容に加えて、ユーザが記入した口座番号、口座名義、およびユーザの押印による印影等が含まれる。
【００５０】
図６（ｃ）は、演算部１５による演算結果の帳票画像の例を示す。図６（ｃ）に示すように、演算部１５による演算結果の帳票画像は、ユーザに記入された口座番号、口座名義、および印影等が残され、罫線等の予め印刷されている部分が削除された画像となる。
【００５１】
図７は、実施形態の処理の流れの一例を示すフローチャートである。記入済帳票取得部１１は、読取装置１から、印影を含む記入済帳票の画像データを取得する（ステップＳ１０１）。
【００５２】
帳票ＩＤ認識部１２は、読取装置１から、記入済帳票画像を取得し、画像認識処理を行うことにより、帳票を識別する帳票ＩＤを認識する（ステップＳ１０２）。例えば、上述したように、未記入帳票画像の左上に帳票ＩＤが印字されている場合、帳票ＩＤ認識部１２は、該印字された帳票ＩＤを画像認識処理により、認識してもよい。
【００５３】
未記入帳票取得部１３は、帳票ＩＤ認識部１２が認識した帳票ＩＤを取得し、取得した帳票ＩＤに対応する未記入帳票の画像データを、未記入帳票記憶部１４から取得する（ステップＳ１０３）。
【００５４】
演算部１５は、記入済帳票画像を２値化したデータと未記入帳票画像を２値化したデータとの排他的論理和演算を行い、排他的論理和演算の結果が偽となる部分を除去した画像データを出力する（ステップＳ１０４）。ステップＳ１０４の詳細な処理は後述する。
【００５５】
印影抽出部１６は、帳票の押印指定領域を示す座標情報に基づいて、演算部１５から出力された画像データから、印影を抽出する（ステップＳ１０５）。
【００５６】
照合部１７は、抽出された印影に対応する登録印影を印影記憶部１８から取得する（ステップＳ１０６）。そして、照合部１７は、印影抽出部１６が抽出した印影と、印影記憶部１８から取得した登録印影とを照合する（ステップＳ１０７）。ステップＳ１０７の処理後、表示制御部１９は、照合部１７の照合結果を表示装置３に表示してもよい。
【００５７】
図８は、演算処理の流れの一例を示すフローチャートである。図８に示す論理演算処理は、図７のＳ１０４の処理の一例である。図８に示す論理演算処理は、図２の例に示す２値化した未記入帳票画像と記入済帳票画像に対して行われる処理である。
【００５８】
演算部１５は、まずｙに０を設定し（ステップＳ２０１）、ｙが０からＹｍａｘまでの範囲で行う繰り返し処理を開始する（ステップＳ２０２）。Ｙｍａｘは、未記入帳票画像と記入済帳票画像のＹ座標の最大値であり、図２に示す例では１３である。演算部１５は、ｘに０を設定し（ステップＳ２０３）、ｘが０からＸｍａｘまでの範囲で行う繰り返し処理を開始する（ステップＳ２０４）。Ｘｍａｘは、未記入帳票画像と記入済帳票画像のＸ座標の最大値であり、図２に示す例では１３である。
【００５９】
演算部１５は、未記入帳票画像の座標（ｘ，ｙ）の値と、記入済帳票画像の座標（ｘ，ｙ）の値とが異なるか判定する（ステップＳ２０５）。演算部１５は、未記入帳票画像の座標（ｘ，ｙ）の値と、記入済帳票画像の座標（ｘ，ｙ）の値とが異なる場合（ステップＳ２０５でＹＥＳ）、演算結果を１とする（ステップＳ２０６）。演算部１５は、未記入帳票画像の座標（ｘ，ｙ）の値と、記入済帳票画像の座標（ｘ，ｙ）の値とが同じである場合（ステップＳ２０５でＮＯ）、演算結果を０とする（ステップＳ２０７）。
【００６０】
演算部１５は、ステップＳ２０５〜Ｓ２０７の処理を行うことにより、記入済帳票の画像データを２値化したデータと未記入帳票の画像データを２値化したデータとの排他的論理和演算を行う。
【００６１】
演算部１５は、ステップＳ２０６またはステップＳ２０７の演算結果をキャッシュメモリ等に記憶する（ステップＳ２０８）。演算部１５は、ｘにｘ＋１を設定する（ステップＳ２０９）。そして、演算部１５は、繰り返し処理を継続するか判定し、ｘ＞Ｘｍａｘであれば、繰り返し処理を終了し（ステップＳ２１０）、ｘ≦Ｘｍａｘであれば、繰り返し処理を継続する（ステップＳ２０５）。
【００６２】
演算部１５は、ステップＳ２１０で繰り返しを終了した場合、ｙにｙ＋１を設定する（ステップＳ２１１）。そして、演算部１５は、繰り返し処理を継続するか判定し、ｙ＞Ｙｍａｘであれば、繰り返し処理を終了し（ステップＳ２１２）、ｙ≦Ｙｍａｘであれば、繰り返し処理を継続する（ステップＳ２０３）。
【００６３】
以上の処理により、演算部１５は、記入済帳票画像を２値化したデータと未記入帳票画像を２値化したデータの全ての座標について排他的論理和演算を行う。そして、演算部１５は、演算結果として、排他的論理和演算の結果が偽（０）となる部分を除去した２値化画像データを出力する。
【００６４】
＜演算結果画像の例＞
図９は、丸印および角印に関連技術を用いた場合の演算処理結果の例を示す。図９に示す関連技術の演算処理では、記入済帳票画像の直線部分を罫線であるとみなして除去する。図９（ａ）、（ｂ）において、三角形のドットが罫線を示しており、円形のドットが印影を示している。図９（ａ）、（ｂ）の演算結果の画像における破線部分は、印影の領域を示す。
【００６５】
図９（ａ）の記入済帳票画像に示す印影は、円形の枠内に「Ａ」という文字が存在するものである。図９（ａ）に示す例では、直線部分が除去された結果、罫線が除去され、演算結果画像として印影のみが残されている。
【００６６】
図９（ｂ）の記入済帳票画像の例に示す印影は、矩形の枠内に「Ａ」という文字が存在するもの（角印）である。図９（ｂ）に示す例では、直線部分が除去された結果、罫線と印影の一部である矩形の枠とが除去され、「Ａ」という文字のみが残されている。
【００６７】
すなわち、関連技術の演算処理では、記入済帳票画像の直線部分を除去するため、罫線だけでなく、印影に含まれる直線部分も除去してしまう可能性がある。なお、図９に示す例では、印鑑の独自性を持たせるため、故意に印章の外周を欠けさせた印鑑が用いられている。しかし、そのような不正対策をしても、上記の関連技術を用いた場合、角印の枠の部分が除去されてしまう可能性がある。
【００６８】
図１０は、丸印および角印に本実施形態の演算処理を用いた場合の演算処理結果の例を示す図である。図１０（ａ）、（ｂ）において、図９（ａ）、（ｂ）と同様に、三角形のドットが罫線を示しており、円形のドットが印影を示している。また、図１０（ａ）、（ｂ）の演算結果画像における点線部分は、印影の領域を示す。
【００６９】
図１０（ａ）の例に示す印影は、図９（ａ）と同様に、円形の枠内に「Ａ」という文字が存在するものである。図１０（ａ）に示す例では、上述した排他論理和演算が行われた結果、未記入帳票に含まれる罫線が除去され、演算結果画像として印影のみが残されている。
【００７０】
図１０（ｂ）の例に示す印影は、図９（ｂ）と同様に、矩形の枠内に「Ａ」という文字が存在するものである。図１０（ｂ）に示す例では、上述した排他論理和演算が行われた結果、未記入帳票に含まれる罫線が除去され、演算結果画像として印影のみが残されている。図１０（ｂ）に示す例では、図９（ｂ）と異なり、印影の枠の部分は除去されない。
【００７１】
図１０に示すように、本実施形態の画像処理装置を用いると、印影が直線部分を含む角印であっても、記入済帳票から、印影の枠の部分を除去することなく罫線を除去することができる。
【００７２】
＜画像処理装置のハードウェア構成の一例＞
次に、画像処理装置のハードウェア構成の一例を説明する。図１１は、画像処理装置のハードウェア構成の一例を示す図である。図１１の例に示すように、バス１００に対して、プロセッサ１１１とRandom Access Memory(RAM)１１２と補助記憶装置１１３と通信インタフェース１１４とが接続される。また、バス１００に対して、グラフィック処理装置１１５と入力インタフェース１１６と光学ドライブ装置１１７と機器接続インタフェース１１８とが接続される。
【００７３】
プロセッサ１１１はＲＡＭ１１２に展開されたプログラムを実行する。実行されるプログラムとしては、実施形態における処理を行う画像処理プログラムが適用されてもよい。
【００７４】
補助記憶装置１１３は、ＲＡＭ１１２に展開されるプログラムを記憶する。補助記憶装置１１３は、種々の情報を記憶する記憶装置であり、例えばハードディスクドライブや半導体メモリ等を適用してもよい。
【００７５】
通信インタフェース１１４は、画像処理装置２が読取装置１または表示装置３と各種情報を送受信する際に用いられる。
【００７６】
グラフィック処理装置１１５には、ディスプレイ１１９が接続される。グラフィック処理装置１１５は、例えば映像を映し出すための処理を行うGraphics Processing Unit（GPU）が搭載されたボードである。図１に示す表示装置３は、例えば、ディスプレイ１１９により実現されてもよい。
【００７７】
入力インタフェース１１６には、キーボード１２０、マウス１２１、およびスキャナ１２２が接続される。図１に示す読取装置１は、例えばスキャナ１２２により実現されてもよい。
【００７８】
光学ドライブ装置１１７は、光ディスク１２３（例えば、Compact Disc(CD)やDigital Versatile Disc(DVD))と接続可能に設けられている。
【００７９】
機器接続インタフェース１１８は、可搬型記録媒体１２４と接続可能に設けられている。可搬型記録媒体１１８としては、可搬型のメモリや半導体メモリ等を適用してもよい。この可搬型記録媒体１２４に実施形態の処理を行う画像処理プログラムが記録されていてもよい。
【００８０】
図１に示す未記入帳票記憶部１４および印影記憶部１８は、ＲＡＭ１１２や補助記憶装置１１３等により実現されてもよい。図１に示す記入済帳票取得部１１、帳票ＩＤ認識部１２、未記入帳票取得部１３、演算部１５、印影抽出部１６、照合部１７、および表示制御部１９は、与えられた画像処理プログラムをプロセッサ１１１が実行することにより実現されてもよい。
【００８１】
また、実施形態の画像処理装置２は、ネットワーク２００を介して、携帯端末１２５と通信可能であってもよい。例えば、画像処理装置２は、携帯端末１２５に演算結果、照合結果等を出力してもよい。
【００８２】
ＲＡＭ１１２、補助記憶装置１１３および可搬型記録媒体１２４は、何れもコンピュータ読み取り可能な有形の記憶媒体の一例である。これらの有形な記憶媒体は、信号搬送波のような一時的な媒体ではない。
【００８３】
＜その他＞
本実施形態は、以上に述べた実施の形態に限定されるものではなく、本実施形態の要旨を逸脱しない範囲内で種々の構成または実施形態を取ることができる。
【符号の説明】
【００８４】
１    読取装置
２    画像処理装置
３    表示装置
１１    記入済帳票取得部
１２    帳票ＩＤ認識部
１３    未記入帳票取得部
１４    未記入帳票記憶部
１５    演算部
１６    印影抽出部
１７    照合部
１８    印影記憶部
１９    表示制御部
１１１    プロセッサ
１１２    ＲＡＭ
１１３    補助記憶装置
【図１】
2018136733.tif 000003
【図２】
2018136733.tif 000004
【図３】
2018136733.tif 000005
【図４Ａ】
2018136733.tif 000006
【図４Ｂ】
2018136733.tif 000007
【図５】
2018136733.tif 000008
【図６】
2018136733.tif 000009
【図７】
2018136733.tif 000010
【図８】
2018136733.tif 000011
【図９】
2018136733.tif 000012
【図１０】
2018136733.tif 000013
【図１１】
2018136733.tif 000014